(57)【要約】【課題】外装部材の大きな変形を防止することが可能な電子機器を提供する。【解決手段】アクセサリを収納する収納室と、この収納室の開口部を開閉する蓋ユニット２と、機器本体の外装を構成するとともに、収納室の少なくとも一部を構成する外装部材３とを有し、蓋ユニット２は、閉じ状態において、外装部材３が収納室内側に所定量変形したときに外装部材３と当接可能であり、外装部材３と当接することで外装部材３の所定量以上の変形を阻止する。【選択図】  図７
2004247218.tif 000002
【特許請求の範囲】
【請求項１】
アクセサリを収納する収納室と、
この収納室の開口部を開閉する蓋ユニットと、
機器本体の外装を構成するとともに、前記収納室の少なくとも一部を構成する外装部材とを有し、
前記蓋ユニットは、閉じ状態において、前記外装部材が前記収納室内側に所定量変形したときに前記外装部材と当接可能であり、前記外装部材と当接することで前記外装部材の所定量以上の変形を阻止することを特徴とする電子機器。
【発明の詳細な説明】
【０００１】
【発明の属する技術分野】
本発明は、機器本体内に設けられ、電池等のアクセサリを収納する収納室を有する電子機器に関するものであり、具体的には収納室の開口部を覆う蓋の構造に関するものである。
【０００２】
【従来の技術】
従来、カメラのような小型携帯式の電子機器に電源電池を収める手法には種々の提案がなされている。例えば、カメラ本体のうち撮影時に撮影者が保持するアクショングリップ部の内側を空洞にして、この領域を電池室としているものがあり、この構造は広く普及している。この構造について図１０および図１１を用いて説明する。
【０００３】
図１０において、３１はカメラ本体、３１ａはアクショングリップ部である。３２は電池蓋であり、電池をカメラ本体３１内に出し入れするための開口部を覆う。このカメラは、開口部を覆った状態にある電池蓋３２をＺ方向にスライドさせてから９０度以上回転させることにより、開口部を開くことができるようになっている。
【０００４】
図１１はカメラの分解斜視図であり、主に電池を収納するための構造を示している。このカメラは４本の単三電池３３〜３６をカメラ本体３１内に収納するタイプである。３７はカメラ本体３１のフロントカバー、３８はリアカバー、３９は電池ホルダである。なお、フロントカバー３７および電池ホルダ３９によって形成されたスペースが、単三電池３３〜３６を収納するための電池室となる。
【０００５】
次に、電池蓋３２の構造について説明する。４０は単三電池３３、３６の電極となる第１電極部であり、単三電池３３、３６と接触する接触部４０ａ、４０ｂを有している。第１電極部４０は、回転軸４１を介して電池ホルダ３９の軸受部３９ａに取り付けられ、回転軸４１を中心に９０度以上回転可能である。
【０００６】
４２は電池蓋３２の外装を構成する蓋部であり、この内側にガイド部４２ａ、４２ｂを有する。ガイド部４２ａ、４２ｂには、第１電極部４０の摺動部４０ｃ、４０ｄが係合しており、摺動部４０ｃ、４０ｄはガイド部４２ａ、４２ｂに沿ってＺ方向に移動可能となっている。
【０００７】
蓋部４２に形成された係止部４２ｃ、４２ｄ、４２ｅは、フロントカバー３７に設けられた爪部３７ａ、３７ｂ、３７ｃに係合可能となっている。４３は単三電池３４、３５の電極となる第２電極部であり、ビス４４によって蓋部４２に固定されている。
【０００８】
上述した構成において、電池蓋３２を図１０に示す状態（電池室の開口部を覆った状態）からＺ方向へスライドさせると、蓋部４２だけがスライド移動する。ここで、第１電極部４０は回転軸４１を介して軸受部３９ａに軸支されているため、蓋部４２とともに移動しないようになっている。このスライド動作により、係止部４２ｃ、４２ｄ、４２ｅが爪部３７ａ、３７ｂ、３７ｃとの係合から外れる。そして、回転軸４１を中心に電池蓋３２を回転させると、第１電極部４０と蓋部４２が一体となって回転し、電池室の開口部が開くことになる。これにより、単三電池３３〜３６の挿脱が可能となる。
【０００９】
【発明が解決しようとする課題】
撮影時には手ブレが生じないようにカメラをしっかりと保持することが大切であり、このためにはアクショングリップ部を持ちやすくしっかり握れる構造とすることが求められる。ここで、アクショングリップ部をしっかり握れるようにする場合、アクショングリップ部には、外力に耐えることができる十分な強度が必要となる。
【００１０】
しかし、上述した従来技術のようにアクショングリップ部の内部に電池の収納室（空洞）を設けた場合には、アクショングリップ部の厚みが薄くなり、強度や剛性が不十分となる恐れがある。
【００１１】
上述した従来技術では、電池蓋３２が電池室の開口部を単に覆っているだけであるため、カメラ本体３１（アクショングリップ部３１ａ）が大きな外力を受けると撓みやすくなり、電池室の内壁（特に、開口部）が変形してしまう。
【００１２】
そして、電池室が変形すると、電池室内に収納された電池３３〜３６と電池蓋３２の電極部４０、４３とが瞬間的に非接触の状態となり、電池からの電力供給が正常に行われなくなる恐れがある。このような状態では、カメラ本体３１内に設けられた電子回路や記録情報の保持に悪影響を与える恐れがある。
【００１３】
そこで、本発明は、機器本体が外力を受けたときでも、機器本体が変形するのを抑制することができる電子機器を提供することを目的とする。
【００１４】
【課題を解決するための手段】
本発明は、アクセサリを収納する収納室と、この収納室の開口部を開閉する蓋ユニットと、機器本体の外装を構成するとともに、収納室の少なくとも一部を構成する外装部材とを有し、蓋ユニットは、閉じ状態において、外装部材が収納室内側に所定量変形したときに外装部材と当接可能であり、外装部材と当接することで外装部材の所定量以上の変形を阻止することを特徴とする。
【００１５】
【発明の実施の形態】
図１に、本発明の１実施形態であるカメラ（電子機器）の外観斜視図を示す。
【００１６】
同図において、１はカメラ本体であり、撮影レンズ、シャッタ、撮像媒体（フィルムやＣＣＤ等の撮像素子）等の撮影に必要な部材を備えている。１ａは撮影時に撮影者によって保持されるアクショングリップ部である。このアクショングリップ部１ａの内部には、後述するように電池を収納するための電池室が設けられている。
【００１７】
２は電池蓋（蓋ユニット）であり、カメラ本体１に設けられた電池室のうち電池を出し入れするための開口部を覆う。この電池蓋２は、カメラ本体１に対してＺ方向に移動可能であるとともに、カメラ本体１に対して回転可能に支持されている。すなわち、後述するように電池蓋２をＺ方向に移動させてから回転させることで、電池室の開口部を開くことができる。
【００１８】
次に、図２および図３を用いてカメラの内部構造について説明する。図２および図３はカメラの分解斜視図であり、図２はカメラを上方から見た図であり、図３はカメラを下方から見た図である。
【００１９】
これらの図において、３はカメラ本体１のうち前面側の外装を構成するフロントカバー（外装部材）であり、４はカメラ本体１のうち背面側の外装を構成するリアカバーである。５はカメラ本体１内に配置され、電池１５〜１８を保持するための電池ホルダである。
【００２０】
電池ホルダ５およびフロントカバー３によって形成されたスペースが、電池１５〜１８を収納するための電池室となる。
【００２１】
次に、電池蓋２の構造について詳細に説明する。
【００２２】
６は非導電性のモールド樹脂で形成された蓋部であり、回転軸７を介して電池ホルダ５の下端面に形成された軸受部５ａに取り付けられている。これにより、蓋部６は、回転軸７を中心に９０度以上回転可能である。
【００２３】
８は回転軸７に貫通して取り付けられた回転バネであり、蓋部６を常に一方向（電池蓋２の開き方向）に付勢している。
【００２４】
９は電池蓋２の外装を構成する蓋カバー部であり、この内側にガイド溝部９ａ〜９ｃを有している。ガイド溝部９ａ〜９ｃにはそれぞれ、蓋部６のリブ６ａ〜６ｃが係合しており、ガイド溝部９ａ〜９ｃとリブ６ａ〜６ｃとがＺ方向に相対的に摺動可能となっている。また、蓋カバー部９に形成された係止部９ｄ〜９ｆはそれぞれ、フロントカバー３に一体的に設けられた爪部３ａ〜３ｃに対して係脱可能となっている。
【００２５】
爪部３ａ、３ｂの側壁にはそれぞれ、突当て面３ｄ、３ｅが設けられている。突当て面３ｄ、３ｅは、蓋部６の側面（端面）のうち一部の領域に設けられた突当て面６ｄ、６ｅに対して所定のクリアランスを空けた状態で対向する位置に設けられており、フロントカバー３（突当て面３ｄ、３ｅ）が変形することで突当て面６ｄ、６ｅに当接可能となっている。
【００２６】
突当て面３ｄ、３ｅは爪部３ａ、３ｂと一体的に形成されているため、突当て面３ｄ、３ｅおよび爪部３ａ、３ｂを別々に形成する場合に比べて、部品点数や組立工数を少なくすることができるとともに、部品強度を高めることができる。
【００２７】
１０は蓋部６と蓋カバー部９の間に配置された第１付勢バネであり、蓋カバー部９を蓋部６に対して常にＺ（＋）方向に引き離すように付勢している。
【００２８】
１１は解除部材で、蓋カバー部９に設けた取付溝部９ｇに配置されている。解除部材１１の一方の面に凸状に形成されたスライドボタン１１ａは、蓋カバー部９に形成された長穴状のスライド穴部９ｈを貫通して蓋カバー部９（電池蓋２）の外部に露出している。スライド穴部９ｈの長さはスライドボタン１１ａの長さよりも長くなっており、スライドボタン１１ａ（解除部材１１）はスライド穴部９ｈに沿って（Ｘ方向に）移動可能となっている。
【００２９】
解除部材１１の他方の面（スライドボタン１１ａが形成された面と反対の面）に形成されたロックピン１１ｂ、１１ｃはそれぞれ、蓋部６に形成され、Ｚ方向に延びるロック溝部６ｆ、６ｇにはまり込む。
【００３０】
電池蓋２を組み立てる際には、まずスライドボタン１１ａをスライド穴部９ｈにはめ込むとともに、ロックピン１１ｂ、１１ｃをガイド溝部６ｆ、６ｇにスライドさせながらはめ込む。これにより、ロックピン１１ｂ、１１ｃは、スライド溝部６ｈ、６ｉまで移動する。このとき、ガイド溝部９ａ〜９ｃとリブ６ａ〜６ｃを係合させる。
【００３１】
スライド溝部６ｈ、６ｉはＸ方向に延びているため、解除部材１１はＸ方向にスライド移動することができる。
【００３２】
上述したように電池蓋２を組み立てる場合には、解除部材１１が組み込まれた蓋カバー部９を蓋部６に対してスライドさせるだけであるため、電池蓋２を容易に組み立てることができる。
【００３３】
１２は蓋カバー部９と解除部材１１の間に配置された第２付勢バネであり、解除部材１１をＸ方向（一方向）に付勢する。第２付勢バネ１２の付勢力を受けた解除部材１１は、スライドボタン１１ａがスライド穴部９ｈの一端に当接した位置で保持される。
【００３４】
１３および１４は電池端子で、カメラ本体１の電池室に収納される単三電池１５〜１８に接触する。この電池端子１３、１４は、ビス１９、２０をビス穴部６ｊ、６ｋにはめ込むことにより、蓋部６の一方の面に固定される。
【００３５】
なお、電池ホルダ５のうち蓋部６と対向する面にも、電池端子１３、１４に相当する端子が設けられている。本実施形態のように電池蓋２（蓋部６）にも電池端子１３、１４を設けることで、カメラの電源として単三電池１５〜１８を用いることができる。
【００３６】
ここで、電池端子１３、１４を曲げ形成することにより電池端子１３、１４にバネ性を持たせることができる。これにより、電池端子１３、１４を電池１５〜１８に圧接させることができ、電池端子１３、１４および電池１５〜１８の電気的接続の信頼性を高めることができる。
【００３７】
電池端子１３、１４に形成されたロック部１３ａ、１４ａはそれぞれ、蓋部６の貫通穴部６ｌ、６ｍを貫通して蓋部６の他方の面から突出する。貫通穴部６ｌ、６ｍから突出したロック部１３ａ、１４ａは、蓋カバー部９に組み込まれた解除部材１１に当接可能となる。
【００３８】
このようにロック部１３ａ、１４ａを解除部材１１に当接させることで、解除部材１１が組み込まれた蓋カバー部９が、ガイド溝部６ｆ、６ｇから外れてしまうのを防止することができる。これにより、解除部材１１のロックピン１１ｂ、１１ｃ（蓋カバー部９）は、ガイド溝部６ｆ、６ｇのうち所定の領域をＺ方向に移動可能となる。
【００３９】
次に、上述した構成のカメラにおいて、電池蓋２の開閉動作について図４から図９を用いて説明する。まず、電池蓋２を開いて電池室に電池１５〜１８を収納する操作について説明する。
【００４０】
図４および図７に電池蓋２が電池室の開口部を閉じた状態を示す。この状態にあるとき、解除部材１１は第２付勢バネ１２により図４のＸ（＋）方向に付勢されており、解除部材１１の端部１１ｄがカメラ本体１に係合している。これにより、電池蓋２は、図４に示す状態に保持されている。
【００４１】
電池室の開口部を開くために、操作者が指でスライドボタン１１ａを図４のＸ（―）方向へスライドさせると、解除部材１１の端部１１ｄとカメラ本体１との係合が解除され、蓋カバー部９は図４のＺ（＋）方向に移動可能となる。
【００４２】
ここで、カメラ本体１のうち解除部材１１の端部１１ｄと係合する位置に検出スイッチを設けておき、この検出スイッチからの出力信号に基づいてカメラ本体１内に設けられた制御部によりカメラ動作を制御するようにしてもよい。
【００４３】
すなわち、解除部材１１の端部１１ｄが検出スイッチに接触しているときには、電池蓋２が電池室の開口部を完全に覆っている状態（図４の状態）にあるため、制御部は検出スイッチからの出力信号（ＯＮ信号）に基づいてカメラを動作状態にさせることができる。
【００４４】
また、解除部材１１のスライド操作により端部１１ｄが検出スイッチと非接触となるときには、電池蓋２が電池室の開口部を完全に覆っていない状態（図５や図６の状態）にあるため、制御部は検出スイッチからの出力信号（ＯＦＦ信号）に基づいて必要な処理動作（例えば、カメラを非動作状態とする）を行わせることができる。
【００４５】
このように端部１１ｄが検出スイッチに接触していない場合には、電池蓋２が開かれる可能性が高いため、端部１１ｄおよび検出スイッチが非接触となった時点で予め必要な処理動作を行うことにより、電池蓋２が突然開かれることでカメラ本体１内の回路に電池１５〜１８の電力が供給されなくなるといった不都合を回避することができる。
【００４６】
端部１１ｄおよびスイッチが非接触状態にあるときには、電池蓋２が開いた状態又は開かれる恐れのある状態であるため、電池１５〜１８の電力がカメラ本体１内の回路に供給されないことがある。そこで、このような場合には上述したように予めカメラを非動作状態とすることで、カメラ本体１内の回路に電力が供給されないといった不都合を回避することができる。
【００４７】
指でスライドボタン１１ａを押さえたまま、蓋カバー部９をＺ（＋）方向へ摺動させる（図５）と、係止部９ｄ〜９ｆと爪部３ａ〜３ｃとの係合が外れる（図８）。
【００４８】
この状態でスライドボタン１１ａから指を離すと、電池蓋２は回転バネ８の付勢力を受けて回転軸７を中心に図８の時計方向に回転する。このとき、蓋カバー部９は第１付勢バネ１０からの付勢力を絶えず受けているため、蓋部６に対してずれたままとなっている。
【００４９】
電池蓋２が回転するとき、図８に示すように突当て面３ｄ〜３ｅと突当て面６ｄ〜６ｅとの間には適切なクリアランスＬが設けられているので、電池蓋２が回転する際に突き当て面同士が衝突することはなく、電池蓋２をスムーズに回転させることができる。
【００５０】
電池蓋２が９０度以上回転することで電池室の開口部を完全に開くと（図６、図９）、単三電池１５〜１８の出し入れが可能な状態となる。
【００５１】
このように蓋カバー部９をスライドさせるだけで係止部９ｄ〜９ｆと爪部３ａ〜３ｃとの係合を簡単に解除でき、あとは指を離すだけで電池蓋２が開くため、電池蓋２を開かせる操作は容易となる。
【００５２】
また、電池蓋２が閉じ状態にあるときには、蓋カバー部９が電池室の開口部を完全に覆い、蓋カバー部９の表面がカメラ本体１の外装部材（フロントカバー３およびリアカバー４）の表面と連続した面となる。このため、外観的にも美しい電池蓋２とすることができる。
【００５３】
次に、電池室に電池１５〜１８を収納する操作について説明する。
【００５４】
電池蓋２が図６や図９に示す状態（開き状態）にあるとき、操作者は、電池１５〜１８を正しい向きにしてから電池室に挿入する。そして、電池蓋２を指で押して９０度以上回転させることにより電池室の開口部を閉じる（図５、図８）。
【００５５】
このとき、蓋カバー部９は第１付勢バネ１０により付勢された位置にあるため、係止部９ｄ〜９ｆが爪部３ａ〜３ｃに衝突することない。また、突当て面３ｄ〜３ｅと突当て面６ｄ〜６ｅとの間には適切なクリアランスＬを設けているため、突き当て面同士が衝突することもない。これにより、電池蓋２をスムーズに閉じることができる。
【００５６】
電池蓋２が図５（図８）の状態にあるときには、蓋カバー部９が第１付勢バネ１０の付勢力を受けることでカメラ本体１（電池室の開口部）に対してずれた位置にある。
【００５７】
図５に示す状態から蓋カバー部９をＺ（−）方向へ摺動させると、係止部９ｄ〜９ｆが爪部３ａ〜３ｃに係合する（図４、図７）。このとき、解除部材１１は、第２付勢バネ１２の付勢力を受けることで、図４のＸ（＋）方向にスライド移動して、端部１１ｄがカメラ本体１と係合する。
【００５８】
あとは電池蓋２から指を離しても、図４に示すように電池蓋２を完全に閉じ状態に維持することができる。なお、再び電池蓋２を開けたい場合には、再び上述した操作を行えばよい。
【００５９】
次に、フロントカバー３（アクショングリップ部１ａ）が外圧を受けた場合について説明する。
【００６０】
電池蓋２が閉じ状態（図７）にあるとき、フロントカバー３の突当て面３ｄ、３ｅと蓋部６の突当て面６ｄ、６ｅとは、クリアランスＬを空けて対向した位置にある。
【００６１】
このため、フロントカバー３（アクショングリップ部１ａ）が外力を受けてカメラ本体（電池室）内側に変形しても、フロントカバー３はクリアランスＬ分だけたわむだけであり、これ以降は突当て面３ｄ、３ｅと突当て面６ｄ、６ｅとが接した状態となる。
【００６２】
このため、突当て面３ｄ、３ｅおよび突当て面６ｄ、６ｅが当接した状態でフロントカバー３にさらに外力が加わっても、この外力は蓋部６から回転軸７を介して電池ホルダ５の軸受部５ａで受け止められるので、フロントカバー３が大きく変形することはない。このようにフロントカバー３の変形を抑制することにより、フロントカバー３が大きな外力を受けて撓むことで電池１５〜１８に振動を与えることはなく、電池電極と電池端子１３、１４との接触状態に悪影響を及ぼすのを防ぐことができる。
【００６３】
また、電池蓋２の構造は、蓋カバー部９だけをＺ方向にスライドさせる方式であるため、蓋部６のＺ方向位置は回転軸７によって軸受部５ａに固定されている。したがって、電池蓋２を開閉させる時も、図８に示すように突当て面３ｄ、３ｅと突当て面６ｄ、６ｅとのクリアランスＬは常に一定に確保されるため、クリアランスＬを必要最小限に設定することでフロントカバー３の不要なたわみを抑制できるとともに、電池蓋２を容易に開閉させることができる。
【００６４】
さらに、本実施形態のようにフロントカバー３がグリップ機能を兼ねる場合には、撮影者がカメラ本体１をしっかりと保持したときにフロントカバー３が大きく変形するのを防止するとともに、フロントカバー３により電池室の内部が圧迫されて電池室の内部構造が変形したり破損したりするのを防止することができる。
【００６５】
以上説明した各実施形態は、以下に示す各発明を実施した場合の一例でもあり、下記の各発明は上記各実施形態に様々な変更や改良が加えられて実施されるものである。
【００６６】
〔発明１〕  アクセサリを収納する収納室と、
この収納室の開口部を開閉する蓋ユニットと、
機器本体の外装を構成するとともに、前記収納室の少なくとも一部を構成する外装部材とを有し、
前記蓋ユニットは、閉じ状態において、前記外装部材が前記収納室内側に所定量変形したときに前記外装部材と当接可能であり、前記外装部材と当接することで前記外装部材の所定量以上の変形を阻止することを特徴とする電子機器。
【００６７】
本発明によれば、外装部材が外力を受けた場合でも、外装部材が所定量変形した時点で蓋ユニットに当接するようになっており、外装部材が所定量以上変形するのを阻止するようにしている。これにより、外装部材が大きく（所定量以上）変形することにより、収納室の内部構造やアクセサリが圧迫されて変形するのを防止することができる。
【００６８】
例えば、収納室に電源電池を収納する場合には、外装部材の大きな変形により電源電池および端子の接触不良が発生するのを防止することができる。
【００６９】
〔発明２〕  前記蓋ユニットが、
前記外装部材と当接可能な第１の蓋部材と、
この第１の蓋部材に対して摺動可能に取り付けられ、摺動により前記外装部材と係脱可能な第２の蓋部材とを有することを特徴とする前記発明１に記載の電子機器。
【００７０】
〔発明３〕  前記第１の蓋部材が、前記機器本体に対して回転可能に取り付けられていることを特徴とする前記発明２に記載の電子機器。
【００７１】
〔発明４〕  前記アクセサリが電源電池であり、
前記第１の蓋部材が、前記収納室に収納された前記電源電池と接触する端子を有することを特徴とする前記発明２又は３に記載の電子機器。
【００７２】
〔発明５〕  前記外装部材のうち前記収納室を構成する面と対向する面が、前記機器本体を保持するためのグリップ面であることを特徴とする前記発明１に記載の電子機器。
【００７３】
【発明の効果】
本発明の電子機器によれば、外装部材の大きな（所定量以上）変形を防止することができる。
【図面の簡単な説明】
【図１】本実施形態であるカメラの外観斜視図。
【図２】本実施形態であるカメラの分解斜視図（上面）。
【図３】本実施形態であるカメラの分解斜視図（下面）。
【図４】カメラの部分外観図（電池蓋が閉じ状態）。
【図５】カメラの部分外観図（電池蓋が開き途中の状態）。
【図６】カメラの部分外観図（電池蓋が開き状態）。
【図７】カメラの部分断面図（電池蓋が閉じ状態）。
【図８】カメラの部分断面図（電池蓋が開き途中の状態）。
【図９】カメラの部分断面図（電池蓋が開き状態）。
【図１０】従来技術であるカメラの外観斜視図。
【図１１】従来技術であるカメラの分解斜視図。
【符号の説明】
１・・・カメラ本体
１ａ・・・アクショングリップ部
２・・・電池蓋
３・・・フロントカバー
３ａ〜３ｃ・・・爪部
３ｄ〜３ｅ・・・突当て面
４・・・リアカバー
５・・・電池ホルダ
５ａ・・・軸受部
６・・・蓋部
６ａ〜６ｃ・・・リブ
６ｄ〜６ｅ・・・突当て面
６ｆ〜６ｇ・・・ロック溝部
６ｈ〜６ｉ・・・スライド溝部
６ｊ〜６ｋ・・・ビス穴部
６ｌ〜６ｍ・・・貫通穴部
７・・・回転軸
８・・・回転バネ
９・・・蓋カバー部
９ａ〜９ｃ・・・ガイド溝部
９ｄ〜９ｆ・・・係止部
９ｇ・・・取付溝部
９ｈ・・・スライド穴部
１０・・・第１付勢バネ
１１・・・解除部材
１１ａ・・・スライドボタン
１１ｂ〜１１ｃ・・・ロックピン
１２・・・第２付勢バネ
１３・・・電池端子
１３ａ・・・ロック部
１４・・・電池端子
１４ａ・・・ロック部
１５〜１８・・・単三電池
１９・・・ビス
２０・・・ビス
３１・・・カメラ本体
３１・・・アクショングリップ部
３２・・・電池蓋
３３〜３６・・・単三電池
３７・・・フロントカバー
３７ａ〜３７ｃ・・・爪部
３８・・・リアカバー
３９・・・電池ホルダ
３９ａ・・・軸受部
４０・・・第１電極部
４０ａ、４０ｂ・・・接触部
４０ｃ、４０ｄ・・・摺動部
４１・・・回転軸
４２・・・蓋部
４２ａ、４２ｂ・・・ガイド溝部
４２ｃ、４２ｅ・・・係止部
４３・・・第２電極部
４４・・・ビス
【図１】
2004247218.tif 000003
【図２】
2004247218.tif 000004
【図３】
2004247218.tif 000005
【図４】
2004247218.tif 000006
【図５】
2004247218.tif 000007
【図６】
2004247218.tif 000008
【図７】
2004247218.tif 000009
【図８】
2004247218.tif 000010
【図９】
2004247218.tif 000011
【図１０】
2004247218.tif 000012
【図１１】
2004247218.tif 000013